(57)【特許請求の範囲】
【請求項１】
文字の書き順、形状および運筆における緩急を少なくとも含む字画情報および次の画または次の文字への繋がりを示す気脈情報を有する文字見本データを記憶する記憶手段と、
前記文字見本データに基づいて文字見本を表示する表示手段と、
当該表示手段上における自身の移動軌跡を入力とする入力手段と、
入力手段により入力された移動軌跡が字画情報か気脈情報かを判別し、
判別された字画情報を前記記憶手段に記憶させる制御手段とを具備することを特徴とする筆記練習システム。
【請求項２】
前記制御手段は、入力された気脈情報を前記記憶手段に記憶させることを特徴とする請求項１記載の筆記練習システム。
【請求項３】
前記表示手段は、表示パネルと、前記入力手段が表示パネル上から所定距離内にある場合に、当該表示パネルのどの位置にあるかを検知する位置センサとを具備し、
前記入力手段は、表示パネルと接触したことを検知する接触センサを具備し、
制御手段は、表示パネルと接触している場合の入力手段の移動軌跡を字画情報とする一方、表示パネルと接触していない場合の入力手段の移動軌跡を気脈情報として判別することを特徴とする請求項１または２記載の筆記練習システム。
【請求項４】
前記表示手段は、液晶タブレットであることを特徴とする請求項１〜３のいずれかに記載の筆記練習システム。
【請求項５】
ペン入力可能な携帯情報端末で構成されることを特徴とする請求項１〜３のいずれかに記載の筆記練習システム。
【請求項６】
文字の書き順、形状および運筆における緩急を少なくとも含む字画情報および次の画または次の文字への繋がりを示す気脈情報を有する文字見本データに基づいて表示手段上にて入力手段を動かすことにより、文字の練習を行うための筆記練習プログラムであって、
コンピュータを
入力手段から入力された移動軌跡が字画情報か気脈情報かを判別する手段、および
判別された情報のそれぞれを区別して記憶手段に記憶させる手段として機能させることを特徴とする筆記練習プログラム。
【発明の詳細な説明】
【技術分野】
【０００１】
本発明は、文字等の練習のための筆記練習システムおよび筆記練習プログラムに関する。
【背景技術】
【０００２】
ペン習字等、文字等の練習のために、ペンタブレット等の入力機器およびパーソナルコンピュータ等を用いて入力、練習し、さらに、文字見本と入力された文字を照合して採点する機能を有するシステムが公知である(例えば、特許文献１)。このシステムによれば、パーソナルコンピュータのモニタに文字見本を書き順、形状および運筆における緩急等を含む動画で表示し、それに合わせて、ペンタブレットまたはマウス等でモニタ上のポインタを動かすことにより、間接的に文字見本をなぞって擬似練習することができる。
【特許文献１】特開２００４−３６２４８３号公報
【発明の開示】
【発明が解決しようとする課題】
【０００３】
しかし、従来のシステムにおいては、実際に文字見本上をなぞっているわけではないので、実際に入力機器を動かした距離とモニタ上でポインタが動く距離との間に誤差が生じ、違和感が生じ易い問題があった。また、文字見本または練習結果（ペン入力された文字）を見ただけではどのように文字等が書かれたかについて詳細なことは分かり難く、練習者は文字見本の通りにうまく書くことができない一方、練習結果からは文字見本の通り書かれたかどうかについての十分な検証を行うことができない問題があった。
【０００４】
本発明は、かかる従来技術の問題点を解決するべくなされたもので、文字等の筆記についての情報がより詳しく分かるとともに、より高精度で入力することができ、より効率的に練習することができる筆記練習システムおよび筆記練習プログラムを提供することを目的とする。
【課題を解決するための手段】
【０００５】
本発明に係る筆記練習システムは、文字の書き順、形状および運筆における緩急を少なくとも含む字画情報および次の画または次の文字への繋がりを示す気脈情報を有する文字見本データを記憶する記憶手段と、前記文字見本データに基づいて文字見本を表示する表示手段と、当該表示手段上における自身の移動軌跡を入力とする入力手段と、入力手段により入力された移動軌跡が字画情報か気脈情報かを判別し、判別された字画情報を前記記憶手段に記憶させる制御手段とを具備することを特徴とするものである。
【０００６】
上記構成の筆記練習システムによれば、記憶手段に文字の書き順、形状および運筆における緩急を少なくとも含む字画情報および次の画または次の文字への繋がり（一般的に書かれた文字には表れない）を示す気脈情報を有する文字見本データ（動画データ）が記憶される。
【０００７】
そして、当該記憶手段に記憶された文字見本データに基づいて表示手段に文字見本が表示（動画表示）される。ユーザは、入力手段を表示手段上で動かすことにより、その移動軌跡をデータとして入力することができる。入力手段により入力された移動軌跡は、制御手段により、字画情報であるか気脈情報であるかが判別される。そして、字画情報として判別された移動軌跡を記憶手段に記憶させる。
【０００８】
このように、文字見本データに動画情報として一般的な字画情報だけでなく、次の画や次の文字への繋がりを示す気脈情報が表示される。したがって、練習者であるユーザは、通常は文字見本に表示されない気脈の動きを知ることができ、それに合わせて手（入力手段）を動かすことにより、より正しく文字見本を把握することができ、高精度かつ高効率に練習することができる。
【０００９】
なお、文字とは、平仮名、片仮名、漢字に限られず、アルファベット、数字等、反復練習を行い得るものであれば、種々適用可能である。
【００１０】
好ましくは、前記制御手段は、入力された気脈情報を前記記憶手段に記憶させるように構成される。
【００１１】
この場合、制御手段により、気脈情報と判別された入力の移動軌跡も記憶手段に記憶される。
【００１２】
したがって、ユーザまたは指導者は、ユーザの書いた文字について通常は表示されない気脈の動きを知ることができるため、より適正に文字見本との相違を検証することができ、より適正に文字を書くためのより適切な判断または指導を行うことができる。
【００１３】
好ましくは、前記表示手段は、表示パネルと、前記入力手段が表示パネル上から所定距離内にある場合に、当該表示パネルのどの位置にあるかを検知する位置センサとを具備し、前記入力手段は、表示パネルと接触したことを検知する接触センサを具備し、制御手段は、表示パネルと接触している場合の入力手段の移動軌跡を字画情報とする一方、表示パネルと接触していない場合の入力手段の移動軌跡を気脈情報として判別するように構成される。
【００１４】
この場合、表示手段の表示パネルに記憶手段に記憶された文字見本データに基づく文字見本が表示される。一方、表示手段の位置センサにより、入力手段が表示パネル上の所定距離内にある場合の当該入力手段の位置が検知される。また、入力手段の接触センサにより、入力手段が表示パネルに接触したことが検知される。このとき、制御手段により、入力手段が表示パネルに接触しているときの入力手段の位置が字画情報として判別される一方、入力手段が表示パネルに接触していないときの入力手段の位置が気脈情報として判別される。つまり、表示パネルを紙面に見立てて、当該表示パネルに入力手段が接触している場合は、字が書ける状態の情報、つまり、字画情報であると判別する一方、表示パネルに入力手段が接触していない場合は、字が書けない状態であり次の画または次の文字に向けて入力手段（ペン等と見立てている）を動かしている状態の情報、つまり、気脈情報であると判別する。
【００１５】
したがって、表示パネルに接触しているか否かを検知して字画情報であるか気脈情報であるかを判別することにより、より実際の文字の筆記態様に近づけることができ、より高精度かつ高効率な筆記練習を行うことができる。
【００１６】
好ましくは、前記表示手段は、液晶タブレットであるように構成される。
【００１７】
この場合、表示手段として液晶タブレットが使用される。したがって、表示手段を卓上に載置して使用すれば、卓上で実際に紙上に練習するのと同様の体勢で練習することができる。
【００１８】
あるいは、システム全体がペン入力可能な携帯情報端末で構成されることが好ましい。
【００１９】
この場合、システム全体がペン入力可能な携帯情報端末で構成される。すなわち、入力ペンが入力手段、表示タブレットが表示手段、ＣＰＵが制御手段、メモリが記憶手段としてそれぞれ機能する。したがって、携行性のよい携帯情報端末に本発明のシステムを組み込むことにより、いつでもどこでも気軽に筆記練習を行うことができる。
【００２０】
また、本発明に係る筆記練習プログラムは、文字の書き順、形状および運筆における緩急を少なくとも含む字画情報および次の画または次の文字への繋がりを示す気脈情報を有する文字見本データに基づいて表示手段上にて入力手段を動かすことにより、文字の練習を行うための筆記練習プログラムであって、コンピュータを入力手段から入力された移動軌跡が字画情報か気脈情報かを判別する手段、および判別された情報のそれぞれを区別して記憶手段に記憶させる手段として機能させることを特徴とするものである。
【発明の効果】
【００２３】
本発明に係る筆記練習システムおよび筆記練習プログラムによれば、通常は文字見本に表示されない気脈の動きを知ることができ、それに合わせて手（入力手段）を動かすことにより、より正しく文字見本を把握することができ、高精度かつ高効率に練習することができる。
【発明を実施するための最良の形態】
【００２４】
以下、添付図面を参照しつつ、本発明を実施するための最良の形態について説明する。図１は本発明の一実施形態に係る筆記練習システムの構成図であり、図２は図１の筆記練習システムの概略ブロック図である。また、図３は図１の筆記練習システムにおける文字見本表示例を示す図である。
【００２５】
本実施の形態に係る筆記練習システムは、パーソナルコンピュータ１と、表示手段としての液晶タブレット２と入力手段としての入力ペン３とで構成される。より具体的には、文字の書き順、形状および運筆における緩急を少なくとも含む字画情報（字画線Ｃ，Ｃ１，Ｃ２についての情報）および次の画または次の文字への繋がりを示す気脈情報（気脈線Ｓについての情報）を有する文字見本データを記憶する記憶手段１１と、記憶手段１１に記憶される文字見本データを出力インターフェイス１４（ＵＳＢ等）を介して文字見本を表示する表示手段としての液晶タブレット２と、当該表示手段上における自身の移動軌跡を入力とする入力手段としての入力ペン３と、入力手段により入力された移動軌跡が字画情報か気脈情報かを判別し、入力された字画情報（字画線Ｃについての情報）を前記記憶手段１１に記憶させる一方、入力された気脈情報（気脈線Ｓについての情報）を前記記憶手段１１に記憶させる制御手段１２とを具備することを特徴とするものである。パーソナルコンピュータ１内の記憶手段１１、制御手段１２、入力インターフェイス１３および出力インターフェイス１４は、信号バス１５により相互通信可能に構成される。
【００２６】
本実施形態において、前記表示手段としての液晶タブレット２は、表示パネル２１と、前記入力手段が表示パネル上から所定距離内にある場合に、当該表示パネルのどの位置にあるかを検知する位置センサ２２とを具備する。また、前記入力手段としての入力ペン３は、ペンの先端部に表示パネル２１と接触したことを検知する接触センサ３１を具備する。そして、制御手段１２は、入力インターフェイス１３（ＵＳＢ等）を介して接触センサ３１および位置センサ２２による入力データを取り込み、表示パネル２１と接触している場合の入力ペン３の移動軌跡を字画情報とする一方、表示パネル２１と接触していない場合の入力ペン３の移動軌跡を気脈情報として判別するように構成される。ここで、記憶手段１１は、パーソナルコンピュータ１のメモリやハードディスクドライブ等で実現でき、制御手段１２は、パーソナルコンピュータ１のＣＰＵで実現できる。また、記憶手段１１には、上記構成のシステムを動作させるための筆記練習プログラムが記憶される。
【００２７】
上記構成の筆記練習システムによれば、図３に示すような、記憶手段１１に文字の書き順、形状および運筆における緩急を少なくとも含む字画情報および次の画または次の文字への繋がり（一般的に書かれた文字には表れない）を示す気脈情報を有する文字見本データ（動画データ）が記憶される。他に、字画ごとの進入方向の情報や筆圧情報等が記憶されてもよい。
【００２８】
制御手段１２は、当該記憶手段１１に記憶された文字見本データを読み出し、液晶タブレット２の表示パネル２１に文字見本を表示（動画表示）させる。本実施形態においては、予め文字（または文字列）の完成見本（字画線Ｃ１）がグレー表示される（図３左端）。そして、動画を再生させると、完成見本（字画線Ｃ１）の上を記憶手段１１に記憶された字画情報に基づいて文字の書き順、形状および運筆における緩急等を再現しつつ完成見本（字画線Ｃ１）上をなぞるように黒表示される（字画線Ｃ２）。この際、運筆にあたってペンが浮く場所（次の画または次の文字等への繋がり）が記憶手段１１に記憶された気脈情報に基づいて再生される（気脈線Ｓ）。
【００２９】
なお、本実施形態においては、予め文字の完成見本には気脈線Ｓが表示されていないが、予め表示しておくこととしてもよい。また、字画線Ｃ１，Ｃ２の表示態様も字画線Ｃ２再生時には字画線Ｃ１は消失させる（表示しない）こととしてもよい。したがって、この場合は、字画線Ｃを単一色表示としてもよい。また、気脈線Ｓの表示態様も字画線Ｃと差別化できる表示態様であれば特に限定されないが、字画線Ｃより細くしたり、淡色で表示する等、字画線Ｃより視覚的に控え目な表示態様が好ましい。
【００３０】
ユーザは、表示パネル２１上に動画再生される文字見本上を入力ペン３でなぞるように動かすことによりその移動軌跡をデータとして入力することができる。図４は図１の筆記練習システムにおける文字見本表示の他の例を示す図である。図４においては左側に文字見本を動画再生する文字見本画面と、右側に当該文字見本上を実際に練習（ペン入力）する練習画面とが表示されている。ただし、文字見本画面はなくてもよい。文字見本は、図３と同様に動画再生可能である。なお、動画表示は右側の練習画面のみ動画再生することとしてもよい。動画再生される練習画面上に入力ペン３をなぞるように動かすことにより、その移動軌跡（練習線Ｐ）が練習画面上に重ねて表示される。
【００３１】
入力ペン３により入力された移動軌跡は、制御手段１２により、字画情報であるか気脈情報であるかが判別される。
【００３２】
入力ペン３の位置は、液晶タブレット２の位置センサ２２により検知する。具体的には、位置センサ２２により入力ペン３が表示パネル２１上の所定距離内にある場合の当該入力ペン３の位置が検知される。位置センサ２２としては、例えば、表示パネル２１下にループ型センサコイルが複数列マトリクス状に設けられるとともに、入力ペン３の先端部に誘導コイルが設けられた電磁誘導方式が挙げられる。この方式によれば、ループ型センサコイルに所定の時間間隔で電流を流して入力ペン３の誘導コイルに誘導電流を生じさせ、当該誘導電流により生じた磁界から液晶タブレット２のセンサコイルに誘導電流を生じさせることにより当該誘導電流が流れたセンサコイルの位置座標を入力ペン３の入力位置として検知する。
【００３３】
また、入力ペン３の先端部に設けられた接触センサ３１により、入力ペン３が表示パネル２１に接触したことが検知される。
【００３４】
本実施形態における液晶タブレット２および入力ペン３の構成は、一般的な液晶タブレット２および入力ペン３により実現可能である。液晶タブレット２を表示手段として使用することにより、卓上載置が容易となり、卓上で実際に紙上に練習するのと同様の体勢で容易に練習することができる。
【００３５】
このような構成において、制御手段１２により、入力ペン３が表示パネル２１に接触しているときの入力ペン３の位置が字画情報として判別される一方、入力ペン３が表示パネル２１に接触していないときの入力ペン３の位置が気脈情報として判別される。つまり、表示パネル２１を紙面に見立てて、当該表示パネル２１に入力ペン３が接触している場合（かつ位置センサ２２が入力ペン３の位置を検知している場合）は、字が書ける状態（字画線Ｃ）の情報、つまり、字画情報であると判別する一方、表示パネル２１に入力ペン３が接触していない場合（かつ位置センサ２２が入力ペン３の位置を検知している場合）は、字が書けない状態であり次の画または次の文字に向けて入力ペン３を動かしている状態（気脈線Ｓ）の情報、つまり、気脈情報であると判別する。
【００３６】
このように、位置センサ２２により入力ペン３の位置を検知している間において、接触センサ３１により入力ペン３が表示パネル２１に接触しているか否かを検知して字画情報であるか気脈情報であるかを判別することにより、より実際の文字の筆記態様に近づけることができ、より高精度かつ高効率な筆記練習を行うことができる。
【００３７】
なお、接触センサ３１の代わりに、ユーザが入力ペン３に設けられたスイッチ３２を押下することにより、入力ペン３の移動軌跡を字画情報または気脈情報のいずれかに切り替える（ユーザの任意で切り替える）構成としてもよい。また、入力ペン３の接触センサ３１が筆圧検知可能に構成されている場合は当該筆圧情報も入力データとして取得する構成としてもよい。
【００３８】
以上のようにして入力ペン３の移動軌跡を示す入力データは、上述したように、字画情報または気脈情報のいずれかに判別され、それぞれ記憶手段１１に記憶される。
【００３９】
なお、図４における練習線Ｐには、字画線Ｃに相当する線のみが表示されているが、必ずしもそれに限定されず、例えば、練習線Ｐにおいても気脈線Ｓに相当する線を逐一表示することとしてもよいし、一文字書き終えるまでは表示せず、書き終えた後、気脈線Ｓに相当する線を追加表示することとしてもよいし、任意に切り替え表示可能としてもよい。
【００４０】
以上のように、文字見本データに動画情報として一般的な字画情報（字画線Ｃ）だけでなく、次の画や次の文字への繋がりを示す気脈情報（気脈線Ｓ）が表示される。したがって、練習者であるユーザは、通常は文字見本に表示されない気脈の動きを知ることができ、それに合わせて手（入力手段としての入力ペン３）を動かすことにより、より正しく文字見本を把握することができ、高精度かつ高効率に練習することができる。
【００４１】
一方、ユーザの書いた（入力した）文字についても気脈情報が記憶可能であるため、ユーザまたは指導者は、ユーザの書いた文字について通常は表示されない気脈の動きを知ることができるため、より適正に文字見本との相違を検証することができ、より適正に文字を書くためのより適切な判断または指導を行うことができる。
【００４２】
なお、文字見本とユーザの書いた文字との検証（採点）は、実際に動画表示させて見比べるだけでなく、気脈情報についての判定が盛り込まれた評価プログラムにより自動化することも可能である。
【００４３】
上記実施形態においては、パーソナルコンピュータ１を中核とするシステム構成の例について説明したが、これに限られず、専用の制御手段および記憶手段が内蔵された本システムに適した液晶タブレット装置等、種々の態様に適用可能である。
【００４４】
さらに、システム全体がペン入力可能な携帯情報端末で構成されることとしてもよい。図５は本発明の他の実施形態に係る筆記練習システムの構成図である。
【００４５】
この場合、システム全体がペン入力可能な携帯情報端末１００で構成される。すなわち、入力ペン１０３が入力手段、表示タブレット１０２が表示手段、ＣＰＵ（内蔵、図示せず）が制御手段、メモリ（内蔵、図示せず）が記憶手段としてそれぞれ機能する。したがって、携行性のよい携帯情報端末１００に本発明のシステムを組み込むことにより、いつでもどこでも気軽に筆記練習を行うことができる。
【００４６】
なお、携帯情報端末１００によっては、入力ペン１０３および表示タブレット１０２の制約により、気脈情報の入力ができない（接触か非接触かのいずれかの入力態様しかない）場合には、文字見本においてのみ気脈表示を行うこととしてもよい。この場合でも、通常は文字見本に表示されない気脈の動きを知ることができ、それに合わせて手（入力ペン１０３）を動かすことにより、より正しく文字見本を把握することができ、高精度かつ高効率に練習することができる。
【００４７】
なお、文字とは、平仮名、片仮名、漢字に限られず、アルファベット、数字等、反復練習を行い得るものであれば、種々適用可能である。また、文字は図４に示すような単一の文字だけでなく、図３に示すような所定の文字列であってもよい。
【図面の簡単な説明】
【００４８】
【図１】本発明の一実施形態に係る筆記練習システムの構成図である。
【図２】図１の筆記練習システムの概略ブロック図である。
【図３】図１の筆記練習システムにおける文字見本表示例を示す図である。
【図４】図１の筆記練習システムにおける文字見本表示の他の例を示す図である。
【図５】本発明の他の実施形態に係る筆記練習システムの構成図である。
【符号の説明】
【００４９】
１１  記憶手段（パーソナルコンピュータ１）
１２  制御手段（パーソナルコンピュータ１）
２  液晶タブレット（表示手段）
２１  表示パネル
２２  位置センサ
３  入力ペン（入力手段）
３１  接触センサ
Ｃ，Ｃ１，Ｃ２  字画線（字画情報）
Ｓ  気脈線（気脈情報）
【図１】
0004761523.tif 000002
【図２】
0004761523.tif 000003
【図３】
0004761523.tif 000004
【図４】
0004761523.tif 000005
【図５】
0004761523.tif 000006